(57)【要約】【課題】            永年使用しても汚れが付着するのを防止して、従来と同様の通常のストレート状の水流を吐出することができた上で、皿洗いや野菜、さらにはサラダ用に刻んだ野菜を洗う際にも適した水流を吐出することのできる蛇口を提供する。【解決手段】        先端部に設けたストレート状の水流用の吐出口と、下側軸方向に設けたスリット状を呈した滝状の水流用の吐出口とを有し、内部軸方向に、前記先端部に設けたストレート状の水流用の吐出口に向けて湯水を案内する案内水路と、前記スリット状を呈した滝状の水流用の吐出口に向けて湯水を案内する案内水路を設ける。【選択図】          図４
2005082965.tif 000002
【特許請求の範囲】
【請求項１】
少なくとも、先端部に設けたストレート状の水流用の吐出口と、下側軸方向に設けたスリット状を呈した滝状の水流用の吐出口とを有し、内部軸方向に、前記先端部に設けたストレート状の水流用の吐出口に向けて湯水を案内する案内水路と、前記スリット状を呈した滝状の水流用の吐出口に向けて湯水を案内する案内水路を設けたことを特徴とする、蛇口。
【請求項２】
先端部に、ストレート状の水流用の第１吐出口と、この第１吐出口を囲んで多数の小孔を有するシャワー状の水流用の第２吐出口とを設け、下側軸方向に、スリット状を呈した滝状の水流用の第３吐出口を設け、内部軸方向に、前記各吐出口に向けて湯水を案内する案内水路を設けたことを特徴とする、蛇口。
【請求項３】
先端部に、ストレート状の水流用の第１吐出口と、この第１吐出口を囲んで多数の小孔を有するシャワー状の水流用の第２吐出口とを設け、下側軸方向にスリット状を呈した滝状の水流用の第３吐出口と、この第３吐出口に並設して同じく下側軸方向に多数の細孔から成るミスト状の水流用の吐出口を設け、内部軸方向に、前記各吐出口に向けて湯水を案内する案内水路を設けたことを特徴とする、蛇口。
【請求項４】
少なくとも先端部に設けたストレート状の水流用の吐出口と、下側軸方向に設けたスリット状を呈した滝状の水流用の吐出口とを有し、既存の蛇口へ取付手段を介して該既存の蛇口の吐出口へ連通して取り付けられ、水流切換手段を介して前記ストレート状の水流用の吐出口と、スリット状を呈した滝状の水流用の吐出口へ湯水を案内するように構成したことを特徴とする、蛇口。
【発明の詳細な説明】
【技術分野】
【０００１】
この発明は、一般家庭用の台所で用いて好適な水道の蛇口に関する。
【背景技術】
【０００２】
近年、一般家庭の台所の流しにおいても、湯水混合水栓が広く普及を見ているが、台所で洗う物の種類により、蛇口より吐出させる湯或は水及び湯水混合水の蛇口からの吐出形態を変えることが望まれたことから、蛇口に取り付けて用いる以下の特許文献１に示された水流切換器が公知である。
【０００３】
【特許文献１】特開平１１−２８０１２８号公開特許公報
【発明の開示】
【発明が解決しようとする課題】
【０００４】
この特許文献１に示されたものは、水流を通常のストレート状の水流とシャワー状の水流に選択できるものであるが、永年使用するとどうしても取れにくい汚れが水流切換器の内外に付着して目立つようになり、不衛生となる上に、例えばお皿を洗う場合や、サラダ用の野菜を洗う場合には、通常のストレート状の水流やシャワー状の水流のでは充分ではなく、それぞれに適した水流が求められることとなった。
【０００５】
そこで、この発明の目的は、永年使用しても汚れが付着するのを防止して、従来と同様の通常のストレート状の水流を吐出することができた上で、皿洗いや野菜、さらにはサラダ用に刻んだ野菜を洗う際にも適した水流を吐出することのできる蛇口を提供せんとするにある。
【課題を解決するための手段】
【０００６】
上述した目的を達成するためにこの発明は、少なくとも、先端部に設けたストレート状の水流用の吐出口と、下側軸方向に設けたスリット状を呈した滝状の水流用の吐出口とを有し、内部軸方向に、前記先端部に設けたストレート状の水流用の吐出口に向けた湯水を案内する案内水路と、前記スリット状を呈した滝状の水流用の吐出口に向けて湯水を案内する案内水路を設けたことを特徴とする。
【０００７】
この発明はさらに、先端部に、ストレート状の水流用の第１吐出口と、この第１吐出口を囲んで多数の小孔を有するシャワー状の水流用の第２吐出口とを設け、下側軸方向に、スリット状を呈した滝状の水流用の第３吐出口を設け、内部軸方向に、前記各吐出口に向けて湯水を案内する案内水路を設けたことを特徴とする。
【０００８】
この発明はさらに、先端部に、ストレート状の水流用の第１吐出口と、この第１吐出口を囲んで多数の小孔を有するシャワー状の水流用の第２吐出口とを設け、下側軸方向にスリット状を呈した滝状の水流用の第３吐出口と、この第３吐出口に並設して同じく下側軸方向に多数の細孔から成るミスト状の水流用の吐出口を設け、内部軸方向に、前記各吐出口に向けて湯水を案内する案内水路を設けたことを特徴とする。
【０００９】
この発明はさらに、少なくとも先端部に設けたストレート状の水流用の吐出口と、下側軸方向に設けたスリット状を呈した滝状の水流用の吐出口とを有し、既存の蛇口へ取付手段を介して該既存の蛇口の吐出口へ連通して取り付けられ、水流切換手段を介して前記ストレート状の水流用の吐出口と、スリット状を呈した滝状の水流用の吐出口へ湯水を案内するように構成したことを特徴とする。
【発明の効果】
【００１０】
この発明は以上のように構成したので、請求項１に係る発明によれば、蛇口が通常のストレート状の水流以外に、帯状を呈した水流を吐出できるので、とくにお皿や、フライパン、まな板を洗う場合や、大根や人参等を洗う場合に、広い範囲に湯水が行き渡ることになるので、洗い易いという効果を奏し得る。
【００１１】
請求項２のように構成すると、請求項１の機能にさらにシャワー状の水流を吐出できる機能が蛇口へ加わるので、とくに果物や野菜等を洗う際により洗い易くなるという効果を奏し得る。
【００１２】
請求項３のように構成すると、請求項１と２の機能に加えて、ミスト状の水流を吐出できる機能が蛇口へ加わるので、とくに、サラダのようなものを洗う際に、水流が細部にまで行き渡る結果、より洗浄能力を高めることができるという効果を奏し得る。
【００１３】
請求項４のように構成すると、既存の蛇口へ取り付けてストレート状の水流に加えて、滝状の水流、滝状でシャワー状の水流、及び滝状でミスト状の水流等を各々吐出させることができるという効果を奏し得る。
【発明を実施するための最良の形態】
【００１４】
以下にこの発明の一実施の形態を図面に基づいて詳細に説明する。
【実施例１】
【００１５】
図面において、指示記号１で示したものは、水を供給する水供給用パイプであり、指示記号２で示したものは、湯を提供する湯供給用パイプである。指示記号３と４で示したものは、それぞれ水と湯の供給、遮断を行うコックである。いずれも公知構成のもので足りる。指示記号５で示したものは、湯水路切替手段であり、水供給用パイプ１と湯供給用パイプ２が左右から接続されると共に、この湯水路切替手段５にこの発明に係る蛇口６が接続されている。
【００１６】
湯水路切替手段５は、ハウジング７と、このハウジング７内に設けたバルブ室８と、このバルブ室８内に水密状態で回動可能に設置された連通路９ａを有するロータリー弁９と、このロータリー弁９を回動させる操作レバー１０から成る。尚、この湯水路切替手段５の構成は、図示のものは一例でその構成を概略的に示すものであり、パッキング等の付属品は図示を省略してある。そして、この湯水路切替手段５の構成は、図示のものに限定されず、その他公知構成のものも含めてさまざまな構成のものが考えられる。
【００１７】
この蛇口６は、湯水路切替手段５のハウジング７の取付部７ａに接続金具１２を介して接続された軸方向に長いパイプ状のもので、その接続端側に、とくに図６に示したように、４個の第１流入口１３ａ、第２流入口１３ｂ、第３流入口１３ｃ、第４流入口１３ｄが設けられ、この各流入口１３ａ，１３ｂ，１３ｃ，１３ｄは、パッキング１１を介してハウジング７に設けたバルブ室８に開口している第１〜第４連通孔１４ａ，１４ｂ，１４ｃ，１４ｄと第１〜第４案内水路１５ａ，１５ｂ，１５ｃ，１５ｄを介して水密状態で連通している。
【００１８】
蛇口６は、全体としてパイプ状のもので、その先端部に、ストレート状の水流用の第１吐出口１６と、この第１吐出口１６を囲んで多数の小孔１７ａ，１７ａ・・・を有するシャワー状の水流用の第２吐出口１７とが設けられ、内部上側に軸方向が、第１吐出口１６へ湯水を案内する第１流入口１３ａを有する第１筒部１６ａと、第２吐出口１７へ湯水を案内する第２流入口１３ｂを有する第２筒部１７ｂに仕切られている。
【００１９】
蛇口の下側軸方向には、細長いスリット状を呈した滝状の水流用の第３吐出口１８と多数の細孔１９ａ，１９ａ・・・から成るミスト状の水流用の第４吐出口１９とが設けられ、内部下側の軸方向が、第３吐出口１８へ湯水を案内する第３流入口１３ｃを有する第３筒部１８ａと、第４吐出口１９へ湯水を案内する第４流入口１３ｄを有する第４筒部１９ｂとに仕切られている。つまり、蛇口６の内部は第１〜第４筒部１６ａ，１７ｂ，１８ａ，１９ｂに仕切られている。
【００２０】
尚、この各吐出口の種類及び設置位置は、少なくとも第１吐出口１６と第３吐出口１８を除いて、図示のものに限定されるものではなく、シャワー状の水流用の吐出口は、スリット状の滝状の水流用の吐出口１８のスリットに代えて、多数の小孔を設けた吐出口としたり、或はミスト状の水流用の吐出口１９の細孔に代えて多数の小孔を設けることにより、シャワー状の水流を吐出させるように構成しても良い。また、ミスト状の水流用の第４吐出口１９は、シャワー状の第２吐出口に設けた小孔を多数の細孔に代えることによって、形状は異なるが、ミスト状の水流用の吐出口としても良い。
【００２１】
また、以上の説明は、蛇口より湯水の混合水、湯のみ、或は水のみを選択的に吐出させることができるように構成したものについて説明したが、湯供給用パイプを省略して水のみしか吐出できないように構成しても良い。
【００２２】
したがって、左右のコック３，４を弛めても、図２と図５に示したように、操作レバー１０に設けた矢印が中立状態の閉位置にある時には、湯水は流通口７ｂを介して貯溜室７ｃ内へ流入するが、ロータリー弁９の連通路ａが第１乃至第４連通孔１４ａ〜１４ｄのどれとも連通していないので、湯水が蛇口６の方へ送られることにならない。
【００２３】
しかるに、この状態から、図２に示したように、ストレートと表示した側へ操作レバー１０をその矢印が位置する方向へ回すと、ロータリー弁９の連通路９ａが、図５に示したように、第１連通孔１４ａと第１案内水路１５ａの入口とを連通させるので、この湯水は第１案内水路１５ａを介して第１流入口１３ａより第１筒部１６ａ内へ流入し、先端に設けた第１吐出口１６より丸状、或は角状の第１吐出口１６の形状に合わせたストレート状の水流を吐出させることができる。
【００２４】
次いで、同じく図２に示したように、シャワーと表示した側へ操作レバー１０を、その矢印が位置する方向へ回すと、ロータリー弁９の連通路９ａが第２連通孔１４ｂと第２案内水路１５ｂの入口とを連通させるので、湯水は貯溜室７ｃより連通路９ａを介して第２連通孔１４ｂから第２案内水路１５ｂを通り、蛇口６の第２流入口１３ｂと第２筒部１７ｂを経て、第２吐出口１７の各小孔１７ａよりシャワー状の水流を吐出させることになる。
【００２５】
同様にして、同じく図２に示したように、操作レバー１０を、矢印が滝或はミストと表示した側へ回すと、湯水の貯溜室７ｃより第３連通孔１４ｃ−連通路９ａ−第３案内水路１５ｃ−第３流入口１３ｃ−第３筒部１８ａの流路が形成されて第３吐出口１８より滝状の水流を吐出させることができ、さらに貯溜室７ｃより第４連通孔１４ｄ−連通路９ａ−第４案内水路１５ｄ−第４流入口１３ｄ−第４筒部１９ｂの流路が形成されて、第４吐出口１９より滝状を呈したミスト状の水流を吐出させることができるものである。
【００２６】
このようにして、本願発明に係る蛇口は、従来公知のものにはない、ストレート状やシャワー状の水流の他に、滝状のストレート状を呈した水流や、滝状のシャワー状を呈した水流、及び滝状のミスト状を呈した水流を任意に選択して吐出させることができるものである。
【実施例２】
【００２７】
図８乃至図１２は、この発明に係る蛇口の他の実施の形態を示す。
【００２８】
先の実施例１のものは、専用の蛇口であるが、この実施例２のものは既存の蛇口に取り付けて用いることができるようにした、言わば簡易型の蛇口を示す。図面によれば、既存の蛇口２０の吐出口２０ａに取付用フック２１，２１と取付締具２２から成る取付手段２８を介して、異なった水流を吐出することのできる簡易取付型の蛇口２３が取り付けられており、既存の蛇口２０の吐出口２０ａと、取付締具２２に設けた連通孔２２ａと自己の連通口２３ｃを介して連通している。この蛇口２３は、パイプ状のもので、水流切換用の水路切換手段２４が取り付けられており、先端側にストレート状の水流用の吐出口２３ａと、下部軸方向に延びるスリット状を呈した滝状の水流用の吐出口２３ｂを設けてある。
【００２９】
水路切換手段２４は、とくに図１１に示したように、複数の連通路２５ａ，２５ｂを設けたロータリーバルブ２５と、このロータリーバルブ２５に取り付けた操作レバー２６とから成り、コック２７を開いて操作レバー２６を図８と図９で示したように、直立状態にした時には、連通孔２２ａ−連通口２３ｃ−連通路２５ａ−吐出口２３ａの水路が形成されて、吐出口２３ａよりストレート状の水流を吐出させることができる。操作レバー２６を図１２に示したように、時計方向へ回して傾けると、連通孔２２ａ−連通口２３ｃ−連通路２５ｂ−吐出口２３ｂの水路が形成されて、吐出口２３ａより滝状の水流を吐出させることができるものである。
【００３０】
この実施例２のものは、蛇口２３にスリット状の吐出口２３ｂを設けたものを示したが、このスリット状の吐出口に代えて多数の細孔を帯状に設けた吐出口としてミスト状の水流を吐出させるようにしても良いし、多数の小孔を帯状に設けた吐出口として、長い帯状のシャワー状の水流を吐出させるようにしても良い。各吐出口２３ａ，２３ｂより吐出させる水流は、水、湯、湯水混合水のいずれでも構わない。
【図面の簡単な説明】
【００３１】
【図１】この発明に係る蛇口を使用した混合水栓の斜視図である。
【図２】図１に示した混合水栓の平面図である。
【図３】この発明に係る蛇口の内部構造を示す説明図である。
【図４】この発明に係る蛇口の縦断面図である。
【図５】この発明に係る蛇口を用いた混合水栓の湯水路切替手段の部分の説明図である。
【図６】この発明に係る蛇口のＡ−Ａ線断面図である。
【図７】この発明に係る蛇口の接続側端部を示す側面図である。
【図８】この発明に係る蛇口の他の実施例を示す側面図である。
【図９】図８に示した蛇口の要部を示す拡大断面図である。
【図１０】図８のＢ−Ｂ線断面図である。
【図１１】図９のＣ−Ｃ線断面図である。
【図１２】図８に示した蛇口の動作を説明するための説明図である。
【符号の説明】
【００３２】
１  水供給用パイプ
２  湯供給用パイプ
３  （水）コック
４  （湯）コック
５  湯水路切替手段
６  蛇口
７  ハウジング
７ａ  取付部
７ｂ  流通口
７ｃ  貯溜室
８  バルブ室
９  ロータリー弁
９ａ  連通路
１０  操作レバー
１１  パッキング
１２  接続金具
１３ａ  第１流入口
１３ｂ  第２流入口
１３ｃ  第３流入口
１３ｄ  第４流入口
１４ａ  第１連通孔
１４ｂ  第２連通孔
１４ｃ  第３連通孔
１４ｄ  第４連通孔
１５ａ  第１案内水路
１５ｂ  第２案内水路
１５ｃ  第３案内水路
１５ｄ  第４案内水路
１６  第１吐出口
１６ａ  第１筒部
１７  第２吐出口
１７ａ  小孔
１７ｂ  第２筒部
１８  第３吐出口
１８ａ  第３筒部
１９  第４吐出口
１９ａ  細孔
１９ｂ  第４筒部
２０  蛇口
２０ａ  吐出口
２１  取付用フック
２２  取付締具
２２ａ  連通孔
２３  蛇口
２３ａ  吐出口
２３ｂ  吐出口
２３ｃ  連通口
２４  水路切換手段
２５  ロータリーバルブ
２５ａ  連通路
２５ｂ  連通路
２６  操作レバー
２７  コック
２８  取付手段
【図１】
2005082965.tif 000003
【図２】
2005082965.tif 000004
【図３】
2005082965.tif 000005
【図４】
2005082965.tif 000006
【図５】
2005082965.tif 000007
【図６】
2005082965.tif 000008
【図７】
2005082965.tif 000009
【図８】
2005082965.tif 000010
【図９】
2005082965.tif 000011
【図１０】
2005082965.tif 000012
【図１１】
2005082965.tif 000013
【図１２】
2005082965.tif 000014